(57)【要約】【課題】  いつでもどこでも誰に対してもマイボーム腺が存在する瞼の内側の観察を簡易に行うことができる、非接触タイプのペンシル型マイボーム腺観察装置を提供すること。【解決手段】  筒状の本体の一方の端面に、レンズと、可視光光源、赤外光光源、蛍光発光用光源の３種類の光源が配置されるとともに、本体の側面に設けられた光源選択スイッチで選択された光源からの光で投影されてレンズで拡大された観察部位の像を取り込むためのカメラが本体の内部に収容されてなり、カメラに取り込まれた画像を本体と接続したモニタに表示することができることを特徴とする。【選択図】  図１
0003168993.tif 000002
【実用新案登録請求の範囲】
【請求項１】
マイボーム腺が存在する瞼の内側を観察するためのペンシル型マイボーム腺観察装置であって、筒状の本体の一方の端面に、レンズと、可視光光源、赤外光光源、蛍光発光用光源の３種類の光源が配置されるとともに、本体の側面に設けられた光源選択スイッチで選択された光源からの光で投影されてレンズで拡大された観察部位の像を取り込むためのカメラが本体の内部に収容されてなり、カメラに取り込まれた画像を本体と接続したモニタに表示することができることを特徴とするペンシル型マイボーム腺観察装置。
【考案の詳細な説明】
【技術分野】
【０００１】
本考案は、マイボーム腺が存在する瞼の内側を観察するためのペンシル型装置に関する。
【背景技術】
【０００２】
マイボーム腺は瞼の内側に存在する皮脂腺で、目の涙液膜の蒸発防止などの役割を担っていることが知られている。近年、患者数が増大しているドライアイの原因の一つとしてマイボーム腺の機能障害が挙げられており、また、マイボーム腺の変形はアレルギー性結膜炎と強い相関性があるといった報告もあり、マイボーム腺を観察することの臨床医学的意義に注目が集まっている。このような状況下において、マイボーム腺を観察するための装置がいくつか提案されている。例えば特許文献１においては、装置が対象者の瞼に触れない非接触（ノンコンタクト）タイプの、赤外光光源と赤外線カメラを利用したものが提案されており、その有用性が評価されている。しかしながら、特許文献１において提案されている装置は構成が大掛かりであって持ち運びができないことから、いつでもどこでも対象者のマイボーム腺を観察できるといったものではなく、また、対象者には装置の所定の台座に顎を乗せてもらって観察を行う必要があるため、こうした体位をとることが困難な入院中の患者や寝たきりの老人、乳児などのマイボーム腺の観察には不向きであるといった側面を有している。
【先行技術文献】
【特許文献】
【０００３】
【特許文献１】特開２００９−２８５４４７号公報
【考案の概要】
【考案が解決しようとする課題】
【０００４】
そこで本考案は、いつでもどこでも誰に対してもマイボーム腺が存在する瞼の内側の観察を簡易に行うことができる、非接触タイプのペンシル型マイボーム腺観察装置を提供することを目的とする。
【課題を解決するための手段】
【０００５】
上記の点に鑑みてなされた本考案のマイボーム腺が存在する瞼の内側を観察するためのペンシル型マイボーム腺観察装置は、請求項１記載の通り、筒状の本体の一方の端面に、レンズと、可視光光源、赤外光光源、蛍光発光用光源の３種類の光源が配置されるとともに、本体の側面に設けられた光源選択スイッチで選択された光源からの光で投影されてレンズで拡大された観察部位の像を取り込むためのカメラが本体の内部に収容されてなり、カメラに取り込まれた画像を本体と接続したモニタに表示することができることを特徴とする。
【考案の効果】
【０００６】
本考案のペンシル型マイボーム腺観察装置は、ペンシル型であるので持ち運びが可能であり、また、対象者の瞼の内側に近づけるだけで光源からの光で投影された観察部位の画像をモニタに表示できるので、いつでもどこでも誰に対しても簡易に瞼の内側の観察を行うことができる。
【図面の簡単な説明】
【０００７】
【図１】本考案のペンシル型マイボーム腺観察装置の一例の側面図である。
【図２】同、正面図である。
【図３】同、使用例である。
【考案を実施するための形態】
【０００８】
以下、本考案のペンシル型マイボーム腺観察装置を図面に基づいて説明するが、本考案のペンシル型マイボーム腺観察装置は以下の記載に限定して解釈されるものではない。
【０００９】
図１は、本考案のペンシル型マイボーム腺観察装置の一例の側面図、図２はその正面図、図３はその使用例である。このペンシル型マイボーム腺観察装置１は、筒状の本体２の一方の端面に、レンズ３と、可視光光源４、赤外光光源５、蛍光発光用光源６の３種類の光源が配置されている。レンズは固定式であってもよいし、例えば端部に設けた切れ込みを利用して回転させることで焦点範囲と焦点距離（ｆ値）を変化させることが可能な可動式であってもよい。それぞれの光源の種類は特段限定されるものではなく、例えばそれぞれ異なる発光波長を有するＬＥＤであってよい。また、本体の側面には、光源選択スイッチとして、可視光光源４と蛍光発光用光源６のいずれかを選択するためのスライドスイッチ７と、スライドスイッチ７によって可視光光源４を選択した状態において押圧することで赤外光光源５が選択されるプッシュスイッチ８が設けられている。スライドスイッチ７は、電源のＯＮ／ＯＦＦスイッチを兼ねており、電源がＯＦＦの状態を示す位置からスイッチをスライドさせて可視光光源４か蛍光発光用光源６を選択することで電源がＯＮの状態となり、パイロットランプ９が点灯する仕組みになっている。本体２の内部には、選択された光源からの光で投影されてレンズ３で拡大された観察部位の像を取り込むための図略のカメラ（３種類のいずれの光源からの光で投影された像も取り込むことが可能なＣＣＤカメラやＣＭＯＳカメラなどが望ましい）と電源（乾電池など）が収容されており、カメラに取り込まれた画像は、本体２とケーブル１０を介して接続端子１１で接続されたモニタ１２に表示することができる。モニタ１２に表示された画像は、必要に応じて動画または静止画として記録媒体に記録してもよい。
【００１０】
ペンシル型マイボーム腺観察装置１は、例えば対象者本人または医療従事者の手で瞼をめくり、その内側に近づけて使用される。スライドスイッチ７によって可視光光源４を選択すると、瞼の内側の表面付近に存在する血管などが可視光で投影され、レンズで拡大された像がカメラに取り込まれてその画像がモニタ１２に表示される。スライドスイッチ７によって可視光光源４を選択した状態でプッシュスイッチ８を押圧すると赤外光光源５が選択され、瞼の内側の深部に存在するマイボーム腺が赤外光で投影され、レンズで拡大された像はカメラに取り込まれてその画像がモニタ１２に表示される。従って、プッシュスイッチ８によって可視光光源４と赤外光光源６を切り替えることで、瞼の内側の表面付近に存在する血管などの画像と深部に存在するマイボーム腺の画像をモニタにおいて瞬時に切り替えて表示することができ、マイボーム腺の状態を含めた瞼の内側の状態の効果的な観察を行うことができる。蛍光発光用光源６は、例えばドライアイなどの検査薬として使用されるフルオレセインの溶液を瞼の内側に滴下して染色した際の観察などに利用される。
【００１１】
なお、本考案のペンシル型マイボーム腺観察装置は、主としてヒトの瞼の内側を観察することを目的としたものであるが、観察対象はヒトに限定されるものではなく、瞼の内側にマイボーム腺が存在する犬猫をはじめとするヒト以外の哺乳動物であってもよい。
【産業上の利用可能性】
【００１２】
本考案は、いつでもどこでも誰に対してもマイボーム腺が存在する瞼の内側の観察を簡易に行うことができる、非接触タイプのペンシル型マイボーム腺観察装置を提供することができる点において産業上の利用可能性を有する。
【符号の説明】
【００１３】
１  ペンシル型マイボーム腺観察装置
２  筒状の本体
３  レンズ
４  可視光光源
５  赤外光光源
６  蛍光発光用光源
７  スライドスイッチ
８  プッシュスイッチ
９  パイロットランプ
１０  ケーブル
１１  接続端子
１２  モニタ
【図１】
0003168993.tif 000003
【図２】
0003168993.tif 000004
【図３】
0003168993.tif 000005